(57)【要約】【課題】スプレー作業に支障がなく、誤って手を滑らせた場合にも落下を防止することができるスプレー缶落下予防具を提供する。【解決手段】高所で使用されるスプレー缶落下予防具であり、頭部に噴射ノズル１２を備えたスプレー缶１０の胴部１１を保持する缶ホルダ１３と、その中央よりも低い位置に取り付けられた連結具１７と、先端がこの連結具１７に連結され、基端が作業者側に連結される紐状体１９とからなる。連結具１７が低い位置にあるので、スプレー作業の邪魔にならない。【選択図】図１
0003219308.tif 000002
【実用新案登録請求の範囲】
【請求項１】
高所で使用されるスプレー缶落下予防具であって、
頭部に噴射ノズルを備えたスプレー缶の胴部を保持する缶ホルダと、
この缶ホルダの、中央よりも低い位置に取り付けられた連結具と、
先端がこの連結具に連結され、基端が作業者側に連結される紐状体とからなることを特徴とするスプレー缶落下予防具。
【請求項２】
缶ホルダが、スプレー缶の胴部に巻き付けてスプレー缶を保持するファスナ付きのバンドであることを特徴とする請求項１記載のスプレー缶落下予防具。
【請求項３】
前記バンドが、スプレー缶の胴部の上下２か所を保持する２本のバンドであることを特徴とする請求項２記載のスプレー缶落下予防具。
【請求項４】
前記紐状体はその先端にフックを備え、前記連結具はそのフックを係止するリングであることを特徴とする請求項１〜３の何れかに記載のスプレー缶落下予防具。
【請求項５】
前記紐状体は、伸縮可能なものであることを特徴とする請求項１〜４の何れかに記載のスプレー缶落下予防具。
【考案の詳細な説明】
【技術分野】
【０００１】
本発明は、高所で使用されるスプレー缶落下予防具に関するものである。
【背景技術】
【０００２】
例えば高速道路の保守管理作業を行う場合には、道路設備の高所で発見された腐食箇所に錆止め剤をスプレーしたり、塗料を吹き付けてマーキングしたりすることがある。また、道路設備の上部に蜂の巣が発見された場合には殺虫剤をスプレーしたりすることもある。
【０００３】
これらの場合には、頭部に噴射ノズルを備えたスプレー缶が使用されるが、作業者が誤って手を滑らしてスプレー缶を落下させると、下方を走行する車両を疵付けたり、人に当たったりして危険である。
【０００４】
高所作業で使用するドライバやスパナ等の工具の落下を防止するため、紐状体によって作業者と工具とを連結し、手を滑らせた場合にも危険のないようにすることは、従来から広く行われている。しかし、スプレー缶落下予防具はこれまで知られていない。
【０００５】
なおペットボトルについては、ベルトに引っ掛けて携帯しやすいようにした保持具が考案され、特許文献１、特許文献２として提案されている。しかしこれらは高所作業に適したものではない。特にスプレー缶は頭部に噴射ノズルを備えた構造であるため、作業者は胴部の上半部を保持して人差し指を噴射ノズルに掛けて作業を行う。このため作業者と連結する部分が胴部上方にあると、作業性が悪くなるというスプレー缶に特有の問題がある。このためペットボトル用の保持具を用いることはできない。
【先行技術文献】
【特許文献】
【０００６】
【特許文献１】実用新案登録第３１４６５１６号公報
【特許文献２】実用新案登録第３１３４１３６号公報
【考案の概要】
【０００７】
従って本考案の目的は上記した従来の問題点を解決し、スプレー作業に支障がなく、誤って手を滑らせた場合にも落下を防止することができるスプレー缶落下予防具を提供することである。
【課題を解決するための手段】
【０００８】
上記の課題を解決するためになされた本考案は、高所で使用されるスプレー缶落下予防具であって、頭部に噴射ノズルを備えたスプレー缶の胴部を保持する缶ホルダと、この缶ホルダの、中央よりも低い位置に取り付けられた連結具と、先端がこの連結具に連結され、基端が作業者側に連結される紐状体とからなることを特徴とするものである。
【０００９】
なお請求項２のように、缶ホルダが、スプレー缶の胴部に巻き付けてスプレー缶を保持するファスナ付きのバンドであることが好ましい。
【００１０】
また請求項３のように、前記バンドが、スプレー缶の胴部の上下２か所を保持する２本のバンドであることが好ましい。
【００１１】
また請求項４のように、前記紐状体はその先端にフックを備え、前記連結具はそのフックを係止するリングであることが好ましい。
【００１２】
また請求項５のように、前記紐状体は伸縮可能なものであることが好ましい。
【考案の効果】
【００１３】
本考案のスプレー缶落下予防具は、連結具が缶ホルダの中央よりも低い位置に取り付けられているので、この連結具及びこれに連結される紐状体はスプレー缶の中央よりも低い位置に来る。このため、スプレー缶の胴部の上半部を保持し、人差し指を噴射ノズルに掛けてスプレー作業を行う場合に、連結具や紐状体が邪魔にならず、作業が行い易い。
【００１４】
請求項２のスプレー缶落下予防具は、ファスナ付きのバンドによりスプレー缶を保持するので、胴部のサイズの異なる様々なスプレー缶に用いることができる。
【００１５】
請求項３のスプレー缶落下予防具は、スプレー缶の胴部の上下２か所を保持するので、確実な保持が可能となる。
【００１６】
請求項４のスプレー缶落下予防具は、紐状体の先端のフックを連結具のリングに係止する構造であるため、着脱が容易となる利点がある。
【００１７】
請求項５のスプレー缶落下予防具は、伸縮可能な紐状体を用いているので、作業性に優れる利点がある。
【図面の簡単な説明】
【００１８】
【図１】本考案の実施形態を示す全体図である。
【図２】缶ホルダの展開図である。
【図３】紐状体の全体図である。
【図４】使用状態の説明図である。
【考案を実施するための形態】
【００１９】
以下に図面を参照しつつ、本考案の実施形態を説明する。
図１は実施形態のスプレー缶落下予防具を示す全体図である。図中、１０はスプレー缶であり、１１はその胴部、１２は頭部に設けられた噴射ノズルである。スプレー缶１０の内容液はさまざまであり、代表的なものは防錆剤、塗料、殺虫剤などである。
【００２０】
１３はスプレー缶１０の胴部１１を保持する缶ホルダである。この缶ホルダ１３は図２に示すように、幅広の２本のバンド１４を縦バンド１５により繋いだもので、２本のバンド１４の各端部の裏面には面状ファスナ１６が縫い付けてある。この実施形態では、バンド１４の材質は不織布であるが、必ずしもこれに限定されるものではない。
【００２１】
バンド１４の幅はスプレー缶１０を確実に保持することができるように、３〜５ｃｍ程度としておくことが好ましい。またその長さは、やや太めのスプレー缶１０であっても確実に保持することができるように、２５〜３０ｃｍ程度としておくことが好ましい。面状ファスナ１６はバンド１４の任意の位置に貼り付けることが可能であるから、胴径の異なる各種のスプレー缶１０の胴部１１にバンド１４を巻き付け、面状ファスナ１６により確実に固定することができる。
【００２２】
縦バンド１５には、連結具１７が縫い付けられている。連結具１７は下端にリング１８を備えたものであり、このリング１８が缶ホルダ１３の中央よりも下側、すなわち下側のバンド１４付近にあるようにしてある。このため図４のようにスプレー缶１０の胴部１１の上半部を保持し、人差し指を噴射ノズル１２に掛けてスプレー作業を行う場合に、連結具１７が邪魔になることがない。
【００２３】
この連結具１７のリング１８には、紐状体１９が連結される。紐状体１９としては、セーフティコードの名称で市販されている伸縮可能な落下防止コードを用いることができる。これはゴム製のスパイラルコードであり、内部に金属ワイヤが入ったものを使用してもよい。しかし紐状体１９の種類は必ずしも伸縮可能なものに限定されず、単なるワイヤコードを用いることもできる。
【００２４】
この紐状体１９の先端にはフック２０が取り付けられており、図１、図４に示すようにフック２０は連結具１７のリング１８に引っ掛けて係止される。また、紐状体１９の基端はループ２１として図４のように作業者の腕に連結したり、作業者のベルトなどに外れないように連結しておく。
【００２５】
このように構成された本考案のスプレー缶落下予防具は、図４に示すように作業者とスプレー缶１０とを紐状体１９により連結したものであるから、高所作業中に手を滑らせた場合にも、スプレー缶１０が下方に落下する事故を確実に防止することができ、落下したスプレー缶１０が下方の車両や人を疵付けることがない。
【００２６】
また缶ホルダ１３は面状ファスナ１６を利用しているので、胴径の異なる各種のスプレー缶１０を確実に保持することができるうえ、缶ホルダ１３と紐状体１９との連結は中央よりも低い位置で行われるので、スプレー缶１０の胴部１１を握り、頭部の噴射ノズル１２を指で押して行うスプレー作業の作業性に悪影響を及ぼすことがない。
【００２７】
また、実施形態のように伸縮可能な紐状体１９を使用すれば、作業者は作業中にスプレー缶１０を身体から離して自由に動かすことができ、作業性に悪影響を及ぼすことがない。
【００２８】
以上に説明したように、本考案のスプレー缶落下予防具は簡単な構造でありながら、スプレー作業に支障がなく、誤って手を滑らせた場合にもスプレー缶１０の落下を防止することができる利点がある。
【符号の説明】
【００２９】
１０  スプレー缶
１１  胴部
１２  噴射ノズル
１３  缶ホルダ
１４  バンド
１５  縦バンド
１６  面状ファスナ
１７  連結具
１８  リング
１９  紐状体
２０  フック
２１  ループ
【図１】
0003219308.tif 000003
【図２】
0003219308.tif 000004
【図３】
0003219308.tif 000005
【図４】
0003219308.tif 000006